(57)【要約】本発明は、幼児用キャリーハーネスに関する。キャリーハーネスは、着用者に締結された締結ハーネスと、複数の別々の留め金によって締結ハーネスに固定されたフロントピース（２３）とを含む。フロントピースは、織物と、支持ストラップシステムとを含む。キャリーハーネスに含まれる支持ストラップシステムは、運ばれる子供の全負荷を吸収し、取り外し可能な各留め金（９、３３、３４）によって締結ハーネスに締結されている。支持ストラップシステムに含まれるのは、引き締めストラップ（３７）とシートストラップ（３８）とによって中央留め金（９）に連結された背プレートである。【選択図】図５
2010517666.tif 000002
【特許請求の範囲】
【請求項１】
締結ハーネスと、織物と支持ストラップシステムとを含むフロントピースとを備えた幼児用キャリーハーネスであって、
前記幼児用キャリーハーネスに含まれる前記支持ストラップシステムが運ばれる子供の全負荷を吸収して前記織物に負荷がかからないようになっており、
それにより前記支持ストラップシステムが、取り外し可能に連結された引き締めストラップ（３７）とシートストラップ（３８）とを含むことを特徴とする
幼児用キャリーハーネス。
【請求項２】
前記支持ストラップシステムが、前記引き締めストラップ（３７）と前記シートストラップ（３８）とによって中央留め金（９）に連結された背プレートを含むことを特徴とする
請求項１に記載の幼児用キャリーハーネス。
【請求項３】
前記背プレートが引き締めストラップ（３１、３２）によって２つの側部留め金（３３、３４）に連結されており、
前記側部留め金（３３、３４）によって前記フロントピースが前記締結ハーネスに固定されていることを特徴とする
請求項２に記載の幼児用キャリーハーネス。
【請求項４】
前記支持ストラップシステムが、取り外し可能な留め金（９、３３、３４）によって前記締結ハーネスに固定されていることを特徴とする
請求項１〜３のいずれか１つに記載の幼児用キャリーハーネス。
【発明の詳細な説明】
【技術分野】
【０００１】
本発明は、キャリーハーネスであって、主に幼い子供を着用者の胸部と腹部にもたれさせて運ぶように設計された幼児用キャリーハーネスに関する。
【発明の開示】
【発明が解決しようとする課題】
【０００２】
本発明の目的は、改良された幼児用キャリーハーネスを示すことである。  
改良は、ハーネスをどのように使用するかによって異なるが、ハーネスを着用してその中に子供を入れたときのハーネスの取り扱い、および着用者と子供の両方の快適さに関して達成され得る。
【課題を解決するための手段】
【０００３】
本発明によるキャリーハーネスは、着用者にしっかりと結びつけられた締結ハーネスと、締結ハーネスに固定されたフロントピースとを含む。  
締結ハーネスおよびフロントピースは各々ストラップシステムを有し、これらのストラップシステムをまとめてもストラップシステムと呼ぶ。  
運ばれる幼児を支持し保持するストラップシステムを備えたフロントピースは、いくつかの位置で別々の留め金またはその類似物によって締結ハーネスに固定されており、これらの留め金またはその類似物は容易に個々に取り外すことができる。  
これにより、キャリーハーネスを着用することと子供をキャリーハーネス内に入れることの両面でキャリーハーネスの取り扱いが容易になる。  
このストラップシステムにより、キャリーハーネスにかかる全圧力をハーネスが支持する。  
本発明による構造のさらなる利点は、システムが調節可能であること、およびフロントピースから突出するタブが着用者と子供との間で着用者の胸部にもたれかかるという事実により、フロントピースのサイズが調節可能となることである。
【０００４】
本発明による構造およびその実施形態は請求の範囲に示す特徴的特性を有する。
【図面の簡単な説明】
【０００５】
【図１】図１は、キャリーハーネスを着用した人を示す図である。
【図２】図２は、締結ハーネスを示す図である。
【図３】図３は、締結ハーネスの腰プレートを示す図である。
【図４】図４は、キャリーハーネスのフロントピースを示す図である。
【図５】図５は、フロントピースの背プレートおよびストラップを示す図である。
【発明を実施するための形態】
【０００６】
以下に、添付の図面に示す好ましい実施形態の例により本発明を詳細に説明する。
【０００７】
締結ハーネスは、右部および左部１Ａ、１Ｂを含むウエストストラップと、２つの肩ストラップ２、３と、バックピースすなわち腰プレート４とを含む。  
肩ストラップには、フロントピースの中央部用締結部５、６と、フロントピースの頭部支持部用締結部７、８とがある。  
フロントピース２３の形状を図４により詳細に示す。  
図４は、フロントピースの頭部支持部２５と、頭部支持留め金部３５、３６を含む締結構造とを示す。  
ロックと留め金とは、片手で簡単に留めたり取り外したりできるように形成されている。  
引き締めストラップ３７上および留め金９に連結するシートストラップ３８上にフロントピース下部２４が載っている。  
これによりユーザは容易に即ちフロントピースに妨げられることなく留め金を掴むことができる。  
子供をキャリーハーネスに対して入れたり出したりするときにもキャリーハーネスの使用をできるだけ簡素にするために、フロントピースは留め金に対して必要な分だけ留めたり外したりすることができる。
【０００８】
キャリーハーネスは、堅い材料、好ましくはプラスチック材料で形成された２つのプレートをさらに含む。  
一方のプレートは腰プレートと呼ばれ、着用者の背中上に位置し、他方のプレートは背プレートと呼ばれ、フロントピース内にあって運ばれる子供の背中の後方にくるようになっている。  
ハーネスが用いられる際、これらのプレートは共に全体的にまたは部分的に織物で覆われている。
【０００９】
背部すなわち腰プレート４は主に逆Ｔ字形に形成される。  
２つの下部脚部の各々の外側端部に、２つのウエストストラップ部１Ａ、１Ｂをおそらく調節手段によって締結するための孔１９、２０または他の適切な手段が設けられている。  
同様に腰プレートの上部に、肩ストラップ２、３を調節自在に保持することができる孔２１、２２またはこれに相当する手段が設けられている。  
他の実施形態では、腰プレートは上部と下部とに分割することができ、上部および下部は別体である、即ち適切な様式で互いに連結されている。
【００１０】
締結ハーネスは好ましくは以下に示すように、多くの可能な調節形態を有する。  
ハーネスのウエストストラップは２つの部分１Ａおよび１Ｂを有し、これら２つの部分１Ａおよび１Ｂは腰プレートの下部に締結されている。  
ウエストストラップの各部は、留め金またはその類似物という形態で長さ調節手段１０、１１を有し、これによりストラップの各部は調節位置でさらに２つに分割することができる。  
長さ調節は腰プレートの取付部でも行うことができる。  
肩ストラップ２、３は、ウエストストラップの前方部であってストラップの突出部１４、１５に近い部分に固定されている。  
肩ストラップはここから腰プレートの上部に向かって延び、そこでそれぞれの孔２１、２２（または孔に相当する１つのジョイント）を通過する。  
孔２１、２２は腰プレートの垂直な中軸に対してある程度傾斜しており、肩ストラップは孔２１、２２内で調節自在である。  
その後肩ストラップは側方に折れて前方に延び、ウエストストラップのそれぞれ同じ部分に締結される。  
これを図３に矢印２Ａ、２Ｂおよび３Ａ、３Ｂで示す。  
これらの矢印はそれぞれの肩ストラップに対応している。  
肩ストラップはさらに、長さ調節手段１２、１３を有してもよい。  
これらの手段はウエストストラップの調節手段と同じ形態であることが適切であり、ストラップの先端に設けられてもよい。  
締結はここで行われることが好ましく、それによりしっかりと引き締めることができる。  
すなわちストラップを引っ張ることまたは調節手段の結び部によってストラップの長さを短くすることができる。  
各肩ストラップの両端がウエストストラップの同じ側、従って着用者の同じ側に締結されることにより、交差ストラップの場合のように締結の効果が一方側または他方側に移ることがない。  
そのため腰プレートは負荷をうまく分散し、簡素な構造の締結ハーネスを提供する。
【００１１】
フロントピース２３は下部２４を有し、下部２４はシートストラップ３８および前方引き締めストラップ３７上に載っている。  
シートストラップ３８は留め金９またはこれに関連する部分にしっかりと連結され、留め金９またはこれに関連する部分は留めたり取り外したりすることができる。  
フロントピースはさらに側部２８、２９および頭部支持部２５を有する。  
頭部支持部２５は引き締めストラップ２６、２７を備え、引き締めストラップ２６、２７は頭部支持部の一部を構成し外側留め金（頭部支持留め金部）３５、３６に連結していてもよい。  
フロントピースにはさらに背プレート３０が挿入されており、背プレート３０は側部留め金３３、３４に連結されている。  
側部２８、２９に向かって外方に延びる２つの引き締めストラップ３１、３２は、留め金３３、３４を介して締結ハーネスの留め金（中央部用締結部）５、６に固定されている。  
これらのストラップにはさらに長さ調節用の留め金または他の手段が適合されており、これにより運ばれる子供用のスペースを調節することができる。  
同様の調節形態はさらに、この突出するストラップ（図示せず）に連結する頭部支持部において見られる。  
運ぶべき子供にキャリーハーネスを適合させる更に別の可能な形態は、フロントピースの下部が載っているシートストラップ３８を引き締めストラップ３７またはその類似物によって背プレート３０に連結することである。  
引き締めストラップ３７またはその類似物の長さは調節可能である。  
運ばれる子供からの全負荷が、腰プレートおよび背プレートをも含むストラップシステムによって吸収される。  
これにより織物、特にフロントピース２３には負荷がかからない。  
そのため弾性の効果としてキャリーハーネスをより正確に位置づけることができ、織物の柔軟性のためにほとんど衝撃がかからない。  
これによりキャリーハーネスを子供と着用者にとって快適なものにするという、織物の機能が改良される。
【００１２】
本発明の概念の範囲内において、他の実施形態も可能である。  
頭部支持部のストラップがハーネスシステムの一部を構成していてもよく、シートストラップに連結していてもよい。  
背プレートはより小型であってもよいし、あるいは引き締めストラップを横方向を向いた引き締めストラップに直接連結することにより背プレートをシートストラップに置き換えてもよい。
【符号の説明】
【００１３】
１  ウエストストラップ
２、３  肩ストラップ
４  腰プレート
５、６  留め金（中央部用締結部）
７、８  留め金（頭部支持部用締結部）
９  留め金（中央留め金）
１０、１１  調節手段
１２、１３  調節手段
１４、１５  締結部を有するストラップ端部
１６  腰プレートの中央部
１７  下部
１８  上部
１９、２０  孔
２１、２２  孔
２３  フロントピース
２４  フロントピースの下部
２５  頭部支持部
２６、２７  引き締めストラップ
２８、２９  側部
３０  背プレート
３１、３２  引き締めストラップ
３３、３４  側部留め金
３５、３６  外側留め金（頭部支持留め金部）
３７  引き締めストラップ
３８  シートストラップ
【図１】
2010517666.tif 000003
【図２】
2010517666.tif 000004
【図３】
2010517666.tif 000005
【図４】
2010517666.tif 000006
【図５】
2010517666.tif 000007
【手続補正書】
【提出日】平成21年9月10日(2009.9.10)
【手続補正１】
【補正対象書類名】特許請求の範囲
【補正対象項目名】全文
【補正方法】変更
【補正の内容】
【特許請求の範囲】
【請求項１】
幼児用キャリーハーネスを着用者に結びつけられるように構成された締結ハーネスと、
前記締結ハーネス（１−４）に固定されるように構成され、且つ織物と２つの側部留め金部（２８、３３、２９、３４）と支持ストラップシステムとを含むフロントピース（２３）とを備えた幼児用キャリーハーネスであって、
前記支持ストラップシステムが、引き締めストラップ（３７）とシートストラップ（３８）と、子供の背中用の背プレート（３０）とを含み、
前記背プレート（３０）が前記引き締めストラップ（３７）と前記シートストラップ（３８）とによって中央留め金（９）に連結されており、
前記背プレート（３０）が追加の引き締めストラップ（３１、３２）によって前記フロントピース（２３）の前記２つの側部留め金部（２８、３３、２９、３４）に連結されており、
前記フロントピース（２３）が前記側部留め金部（２８、３３、２９、３４）によって前記締結ハーネス（１−４）に固定されていることを特徴とする
幼児用キャリーハーネス。
【請求項２】
前記支持ストラップシステムが、取り外し可能な留め金によって前記締結ハーネスに固定されていることを特徴とする
請求項１に記載の幼児用キャリーハーネス。
【請求項３】
前記追加の引き締めストラップ（３１、３２）が、運ばれる子供用のスペースを調節可能とする長さ調節手段を含む
請求項１または２に記載の幼児用キャリーハーネス。
【手続補正２】
【補正対象書類名】明細書
【補正対象項目名】０００３
【補正方法】変更
【補正の内容】
【０００３】
本発明による幼児用キャリーハーネスは、着用者にしっかりと結びつけられるように構成された締結ハーネスと、前記締結ハーネス（１−４）に固定されるように構成され、且つ織物と２つの側部留め金部（２８、３３、２９、３４）と支持ストラップシステムとを含むフロントピース（２３）とを備えた幼児用キャリーハーネスであって、前記支持ストラップシステムが、引き締めストラップ（３７）とシートストラップ（３８）と、子供の背中用の背プレート（３０）とを含み、前記背プレート（３０）が前記引き締めストラップ（３７）と前記シートストラップ（３８）とによって中央留め金（９）に連結されており、前記背プレート（３０）が追加の引き締めストラップ（３１、３２）によって前記フロントピース（２３）の前記２つの側部留め金部（２８、３３、２９、３４）に連結されており、前記フロントピース（２３）が前記側部留め金部（２８、３３、２９、３４）によって前記締結ハーネス（１−４）に固定されていることを特徴とする。  
運ばれる幼児を支持し保持するストラップシステムを備えたフロントピースは、いくつかの位置で別々の留め金またはその類似物によって締結ハーネスに固定されており、これらの留め金またはその類似物は容易に個々に取り外すことができる。  
これにより、キャリーハーネスを着用することと子供をキャリーハーネス内に入れることの両面でキャリーハーネスの取り扱いが容易になる。  
この支持ストラップシステムにより、キャリーハーネスにかかる全圧力をハーネスが支持する。  
本発明による構造のさらなる利点は、システムが調節可能であること、およびフロントピースから突出するタブが着用者と子供との間で着用者の胸部にもたれかかるという事実により、フロントピースのサイズが調節可能となることである。
【国際調査報告】
2010517666.tif 000008
2010517666.tif 000009
2010517666.tif 000010